(57)【要約】【課題】接着剤を用いずにレンズバレルとセンサ部とをフォーカス調整しながら組み立てる。【解決手段】レンズ２４Ａ，２４Ｂを収容するレンズバレル２０と、撮像用センサ１４が搭載され、レンズバレル２０を保持するセンサ部１０とのうちの一方が、レンズ２４Ａ，２４Ｂと撮像センサ１４とのフォーカス位置において、他方との接触部のうち少なくとも一部を変形させた状態で嵌合していることを特徴とするカメラユニット５０である。【選択図】図４
2008309837.tif 000002
【特許請求の範囲】
【請求項１】
レンズを収容するレンズバレルと、撮像用センサが搭載され、レンズバレルを保持するセンサ部とが、前記レンズバレルと前記センサ部のうちのいずれか一方が、前記レンズと前記撮像センサとのフォーカス位置において、他方との接触部のうちの少なくとも一部を変形させた状態で、嵌合していることを特徴とするカメラユニット。
【請求項２】
前記レンズバレルと前記センサ部の接触部には共にネジ部が形成されていて、
少なくとも一方のネジ部は、ネジ部の中途部でネジピッチが変更されていることを特徴とする請求項１記載のカメラユニット。
【請求項３】
前記ネジピッチが変更されている部分は、他のネジ部分に比べてネジピッチが短ピッチに形成されていることを特徴とする請求項２記載のカメラユニット。
【請求項４】
前記ネジピッチが変更されている範囲内に前記レンズと前記撮像センサのフォーカス位置が存在していることを特徴とする請求項２または３記載のカメラユニット。
【請求項５】
前記レンズバレルまたは前記センサ部の接触部のうちいずれか一方にはネジ部が形成されていて、
ネジ部が形成されていない前記センサ部または前記レンズバレルの接触部には、前記ネジ部の径寸法よりも小径または大径に形成された異径寸法部が設けられていることを特徴とする請求項１記載のカメラユニット。
【請求項６】
前記異径寸法部が設けられている範囲内に前記レンズと前記撮像センサのフォーカス位置が存在していることを特徴とする請求項５記載のカメラユニット。
【請求項７】
前記レンズバレルおよび前記センサ部は、樹脂成形により形成されていることを特徴とする請求項１〜６のうちのいずれか一項記載のカメラユニット。
【発明の詳細な説明】
【技術分野】
【０００１】
本発明は携帯電話等の撮像装置におけるカメラユニットに関する。
【背景技術】
【０００２】
受光レンズのフォーカス調整をおこなう作業においては、非常に精密に受光レンズの位置を調整しなければならないため、煩雑であることが多い。また、フォーカスポイント付近における微調整を誤ると、フォーカス調整が不可能になってしまう場合があり、レンズユニットの組み立ての歩留まりが悪くなる場合があった。
そこで受光レンズのフォーカス調整作業はなるべく手数がかからず、フォーカス調整の自由度が高いレンズユニットの組立方法が提案されている。
【０００３】
特許文献１記載のカメラモジュールは、レンズを保持するバレルと固体撮像素子が搭載されたカメラモジュール本体とを組み立てる際のフォーカス調整用のネジ部を省略したものである。具体的には、バレル下面に環状突起を設け、カメラモジュール本体の上面に環状溝を形成し、接着剤を注入した環状溝に環状突起を挿入し、バレルとカメラモジュール本体との相対的な位置を調整することでフォーカス調整した後に接着剤を硬化させて固定したものである。
【特許文献１】特開２００７−３６３９３号公報
【発明の開示】
【発明が解決しようとする課題】
【０００４】
バレルとカメラモジュール本体を組み立ててなるカメラユニットは携帯電話やデジタルカメラ等に搭載される。携帯電話やデジタルカメラは日常生活で用いられる前提で製造されているが、過酷な使用条件下であっても故障は許されない。したがってバレルとカメラモジュール本体を組み立てる際には耐久性の高い接着剤が適用されているものの、実際に使用を続けると接着剤が劣化してしまうといった課題や、接着剤が脱落してしまうといった課題がある。
また、バレルとカメラモジュールの組み立てに接着剤を用いたことにより、接着剤または接着剤から発生したガスによりレンズや撮像用センサの一部が汚れてしまうおそれがあるといった課題がある。
【０００５】
そこで本願発明は、フォーカス調整が必要なカメラユニットを組み立てする際において、カメラユニットの出来栄えを左右する要因のひとつである接着剤を用いずにレンズバレルとセンサ部とを組み立てることにより、耐久性および組み立て作業における歩留りを向上させることが可能なカメラユニットの提供を目的としている。
【課題を解決するための手段】
【０００６】
本発明は、レンズを収容するレンズバレルと、撮像用センサが搭載され、レンズバレルを保持するセンサ部とが、前記レンズバレルと前記センサ部のうちのいずれか一方が、前記レンズと前記撮像センサとのフォーカス位置において、他方との接触部のうちの少なくとも一部を変形させた状態で、嵌合していることを特徴とするカメラユニットである。
【０００７】
また、前記レンズバレルと前記センサ部の接触部には共にネジ部が形成されていて、少なくとも一方のネジ部は、ネジ部の中途部でネジピッチが変更されていることを特徴とする。かかるネジ部は、ネジピッチが変更されている部分が他のネジ部分に比べてネジピッチが短ピッチに形成されていて、ネジピッチが変更されている範囲内に前記レンズと前記撮像センサのフォーカス位置が存在していることが好適である。
以上の構成を採用することにより、レンズバレルをセンサ部に組み付ける際に、レンズと撮像用センサのフォーカス調整を厳密におこなうべきポイントを明確にすることができる。そして、フォーカス調整を行う部分のネジピッチが短ピッチに形成されているので、フォーカス調整の微調整が容易になり、カメラユニットのフォーカス調整の失敗による不良が出にくくなるため、カメラユニットの組立工程における歩留まりが向上する。
【０００８】
また、前記レンズバレルまたは前記センサ部の接触部のうちいずれか一方にはネジ部が形成されていて、ネジ部が形成されていない前記センサ部または前記レンズバレルの接触部には、前記ネジ部の径寸法よりも小径または大径に形成された異径寸法部が設けられていてもよい。そして、この異径寸法部が設けられている範囲内に前記レンズと前記撮像センサのフォーカス位置が存在していることが好適である。
以上の構成を採用することにより、レンズバレルをセンサ部に組み付ける際に、レンズと撮像用センサのフォーカス調整を厳密におこなうべきポイントを明確にすることができる。
【発明の効果】
【０００９】
本発明にかかるカメラユニットによれば、接着剤を用いずにレンズバレルとセンサ部を組み立てることにより、接着剤の耐久性によりカメラユニットの耐久性が制限されることがなくなるためカメラユニットの歩留りを向上させることができる。また、接着剤を用いていないので、接着剤の塗布工程や接着剤硬化工程を省略することができ、カメラユニットの組立作業が簡略化され、効率的な生産が可能になると共に、接着剤に起因するレンズまたは撮像用センサの汚染を防止することができる。
【発明を実施するための最良の形態】
【００１０】
以下、本発明にかかるカメラユニットについて、図面に基づいて説明する。
【００１１】
（第１実施形態）
図１は、第１実施形態におけるカメラユニットのセンサ部の構成を示す説明図である。図２は、第１実施形態におけるカメラユニットのレンズバレルの構成を示す説明図である。本実施形態においては、撮像用センサ１４としてＣＭＯＳやＣＣＤ等が用いられたセンサ部１０と、レンズバレル２０の両者にネジ部１２，２２を形成して、両者を螺着することにより、センサ部１０に対するレンズユニット２５のフォーカス調整をおこないながらセンサ部１０にレンズバレル２０を組み付ける形態について説明する。
【００１２】
図１に示すように、センサ部１０は、撮像用センサ１４と、撮像用センサ１４を保持する本体部１６により構成されている。撮像用センサ１４は公知の方法により本体部１６に取り付けられている。本体部１６の撮像用センサ１４の上側部分には、撮像用センサ１４から離反する方向に延出して上方側が開口する筒状部１８が形成されている。筒状部１８の内周面には筒状部１８の高さ方向にわたって一定ピッチのネジ部１２が形成されている。本実施形態における本体部１６は図示しない樹脂成形金型により形成される。
【００１３】
レンズバレル２０は図２に示すように、スペーサ２３を介して配設された２枚のレンズ２４Ａ，２４Ｂにより構成されるレンズユニット２５と、レンズユニット２５を保持する本体部２６により構成されている。本体部２６は下面側が開口する筒状に形成されている。本体部２６の上面側の中央部分にはレンズ用開口部２８が形成されている。本体部２６の外周面には本体部２６の高さ方向にわたってネジ部２２が形成されている。ネジ部２２は、本体部２６の上端側部分におけるネジピッチＰ２が本体部分２６の他の部分のネジピッチＰ１と比較して短ピッチに形成されている。レンズバレル２０もまた樹脂成形金型により形成されている。本実施形態は、レンズバレル２０に２枚のレンズ２４Ａ，２４Ｂからなるレンズユニット２５を保持させた例であるが、レンズバレル２０に保持させるレンズの枚数は特に限定されるものではない。要は、収差が調節された状態でレンズまたはレンズユニットが保持されていれば良い。
【００１４】
レンズバレル２０のネジ部２２は、センサ部１０のネジ部１２にレンズバレル２０のネジ部２２螺着させた状態において、短いネジピッチＰ２に形成されている部分がネジ部１２に進入したときに、撮像用センサ１４とレンズユニット２５の焦点が定まる位置（いわゆるフォーカス位置）を含むように形成されている。撮像用センサ１４に対するレンズユニット２５の焦点距離は、カメラユニットに用いられている撮像用センサ１４とレンズユニット２５の組み合わせにより概略値を予め知ることが可能であるので、ネジピッチＰ１の部分とネジピッチＰ２の部分の範囲を、レンズバレル２０を樹脂成形する際の樹脂成形金型に設定しておくことができる。また本実施形態においては、センサ部１０よりもレンズバレル２０の方が硬くなるように樹脂成形を行っている。
【００１５】
次に、本実施形態におけるカメラユニットの組み立て方法について説明する。図３は、第１実施形態におけるカメラユニットの組み立て状況を示す説明図である。図４は、第１実施形態におけるレンズバレルがフォーカス調整をした状態でセンサ部に組み立てられた状態を示す説明図である。図５は図４内におけるＡ部分の拡大図である。
まず、図３に示すように、撮像用センサ１４が搭載されているセンサ部１０のネジ部１２に、レンズユニット２５が組み込まれているレンズバレル２０のネジ部２２を図中の矢印Ｚ方向に回転させることにより螺入する。センサ部１０にレンズバレル２０を組み付ける際には、撮像用センサ１４のセンシング結果に基づいた画像を表示することができるように、画像データ処理手段と画像表示手段（共に図示せず）がセンサ部１０の撮像用センサ１４に接続される。画像表示手段に表示する画像により撮像用センサ１４に対するレンズユニット２５のフォーカス状態がオペレータの目視により確認することができるように、撮像用センサ１４、レンズユニット２５、確認用画像（図示せず）の順にそれぞれを配列しておけば好適である。
【００１６】
レンズバレル２０のセンサ部１０へねじ込む側のネジピッチＰ１は、センサ部１０のネジ部１２のネジピッチに等しく形成されているので、組み付け開始後しばらくの間は単なるネジ止め処理をすれば良いことになる。この状態においてはレンズバレル２０のレンズユニット２５はネジピッチに従ってセンサ部１０の撮像用センサ１４との距離が短縮する。撮像用センサ１４とレンズユニット２５が所定の離間距離となると、撮像用センサ１４のセンシング結果による画像が画像表示手段に表示される。オペレータは、画像表示手段に表示される画像を見ながらセンサ部１０にレンズバレル２０を組み付けることができる。
【００１７】
撮像用センサ１４とレンズユニット２５のフォーカス距離が近づくと、画像表示手段に表示される画像が鮮明になることはもちろんであるが、レンズ部２０に形成されたネジ部２２のネジピッチがＰ１からＰ２に切り替わり、センサ部１０に形成されているネジピッチとあわなくなる。本実施形態においては図４，図５に示すように、レンズバレル２０に形成したネジ部２２がセンサ部１０のネジ部１２を変形させながら、レンズバレル２０のネジ部２２がセンサ部１０のネジ部１２に食い込んでいくことになる。これにより、レンズバレル２０をセンサ部１０に組み付けする際に要する回転トルクが急激に増加するので、オペレータは画像表示手段を確認しなくても、撮像用センサ１４とレンズユニット２５のフォーカス距離に近づいてきていることを理解することができる。
【００１８】
また、この状態においては、レンズバレル２０のネジ部２２のネジピッチＰ２がそれまでのネジピッチＰ１に比べて短いネジピッチに形成されているため、レンズバレル２０の回転角度に対する撮像用センサ１４に対するレンズユニット２５の接近量が少なくなる。すなわちレンズバレル２０の回転角度に対するレンズユニット２５と撮像用センサ１４の離間距離の変化が徐々になされるため、撮像用センサ１４とレンズユニット２５のフォーカス調整を精密に行うことができる。最終的には、画像表示手段に表示されている画像をオペレータが確認し、画像表示手段に示されている画像のフォーカスが合っていると判断した際に、センサ部１０へのレンズバレル２０のねじ込みをやめれば良い。このようしてセンサ部１０にレンズバレル２０をフォーカス調整した状態で組みつけることでカメラユニット５０を得ることができる。
【００１９】
先にも説明したとおり、レンズバレル２０に形成したネジ部２２は、撮像用センサ１４とレンズユニット２５のフォーカス位置を含む範囲内でネジピッチが短ピッチとなるように変更されていることに加え、センサ部１０よりもレンズバレル２０の方が硬い材料により形成されているので、撮像用センサ１４とレンズユニット２５のフォーカス位置においては、図４，図５に示すようにセンサ部１０のネジ部１２にレンズバレル２０のネジ部２２の一部が食い込んだ状態になる。これにより、単にセンサ部１０とレンズバレル２０を螺合させた場合の摺動抵抗に比べて大な摺動抵抗を得ることができるため、接着剤を用いずとも、センサ部１０とレンズバレル２０の嵌合状態が解除されるおそれがなく、耐久試験に適用してもカメラユニット５０のフォーカス状態が好適に維持されることになる。
【００２０】
（第２実施形態）
次に、第２実施形態について説明する。
図６は第２実施形態におけるセンサ部の構造を示す説明図である。図７は第２実施形態におけるレンズバレルの構造を示す説明図である。図６と図７に示されているとおり、本実施形態においては、センサ部１０にネジ部が形成されていない点と、レンズバレル２０に形成されているネジ部２２のネジピッチがネジ部２２の全域にわたって一定ピッチに形成されている点で第１実施形態と異なっている。本実施形態においては、第１実施形態と同様の構成を有する部分には、第１実施形態と同じ番号を付与することにより詳細な説明を省略している。
【００２１】
センサ部１０は図６に示すように、本体部１６の筒状部１８にネジ部が形成されていない代わりに、筒状部１８の内径が２種類の径寸法に形成されている。具体的には、筒状部１８の上側（開口側）の内径寸法Ｄ１に比べて筒状部１８の下側の内径寸法Ｄ２が小さくなるように形成されている。内径寸法Ｄ１は、レンズバレル２０の外径寸法以上の寸法に形成されている。内径寸法Ｄ２は、レンズバレル２０の外径寸法よりも小さい径寸法に形成されている。撮像用センサ１４の上面位置から筒状部１８の径寸法がＤ１からＤ２に変わる位置までの距離Ｈは、撮像用センサ１４とレンズバレル２０に保持されているレンズユニット２５のフォーカス距離よりも大きくなるように設定されている。すなわち、本実施形態においては、センサ部１０の筒状部１８内にレンズバレル２０のネジ部２２を進入させた場合において、撮像用センサ１４とレンズユニット２５の焦点が合う部分は、筒状部１８の内径寸法がＤ２に形成されている部分にレンズバレル２０の先端部が進入した状態のときとなる。
【００２２】
一方、レンズバレル２０は図７に示すように、本体部２６の外周に本体部２６の高さ方向全域に一定のネジピッチでネジ部２２が形成されている。本実施形態においても、センサ部１０よりもレンズバレル２０が硬くなるように樹脂成形材料が選択されている。
【００２３】
第２実施形態におけるカメラユニットの組み立て方法について説明する。図８は第２実施形態におけるカメラユニットの組み立て状況を示す説明図である。図９は、第２実施形態におけるレンズバレルがフォーカス調整をした状態でセンサ部に組み立てられた状態を示す説明図である。図１０は図９中のＢ部分における拡大図である。本実施形態におけるセンサ部１０とレンズバレル２０の組立作業時においても、センサ部１０の撮像用センサ１４が受信した信号に基づいて画像処理手段が画像を生成して、画像表示手段に表示させ、オペレータが画像表示手段に表示された画像を確認しながらセンサ部１０とレンズバレル２０の組み立てをおこなっているものとする。
【００２４】
まず、図８に示すように、センサ部１０の筒状部１８における上方側の開口部からレンズバレル２０のネジ部２２を挿入する。センサ部１０の筒状部１８の開口部側の内径寸法Ｄ１は、レンズバレル２０の外径寸法と等しく形成されているため、レンズバレル２０は筒状部１８の上方側の内周壁にガイドされた状態で筒状部１８の中に挿入されることになるため、レンズバレル２０またはセンサ部１０に加えるべき回転トルクはゼロであっても良い。
【００２５】
レンズバレル２０のネジ部２２の先端位置が筒状部１８の内径寸法がＤ２に形成されている位置に到達すると、筒状部１８内へのレンズバレル２０の進入量が規制される。レンズバレル２０をさらに筒状部１８に進入させる場合には、ネジ部２２が筒状部１８の内周面を変形させながら進入（嵌入）させる必要があるため、レンズバレル２０またはセンサ部１０に所定の回転トルクが必要になる。筒状部１８の内径寸法が大径（Ｄ１）から小径（Ｄ２）に切りかえられている位置は、センサ部１０にレンズバレル２０を組み立てた状態において撮像用センサ１４とレンズユニット２５のフォーカス位置の直前部分であるから、オペレータは筒状部１８へのレンズバレル２０の組み付け作業を慎重にすべきタイミングを知ることができる。
【００２６】
オペレータは、筒状部１８にレンズバレル２０を組みつける際に、所定の回転トルクが必要になった直後から、画像表示手段に表示された画像の状態を確認して、筒状部１８へのレンズバレル２０の嵌入量を調整し、画像表示手段に表示されている画像が所定の画像状態になったと判断した時点でレンズバレル２０またはセンサ部１０への回転トルクの付与をやめる。
【００２７】
本実施形態においても、レンズバレル２０のネジ部２２がセンサ部１０の筒状部１８の内周面の一部を変形させながら嵌入した状態になるため、単にレンズバレル２０のネジ部２２をセンサ部１０の筒状部１８のネジ部１０に単純に螺着させた場合よりもはるかに大きな摺動抵抗を得ることができるので、センサ部１０にレンズバレル２０をフォーカス調整した状態で組み付けた後に接着剤を用いてフォーカス調整状態を維持する必要がなく、接着剤塗布工程の省略や、接着剤によるレンズの汚染をなくすことができる。
【００２８】
以上の第１実施形態および第２実施形態においては、センサ部１０における筒状部１８の内径空間にレンズバレル２０の外周面を嵌合させる形態について説明したが、本願発明は、センサ部１０における筒状部１８の外周面にレンズバレル２０のネジ部２２を嵌合させる形態にも適用することももちろん可能である。
以下に、レンズバレル２０の本体部２６の下面側に筒状の延出部２９を形成し、延出部２９の内周面にネジ部２２が形成されている形態例について説明をする。
【００２９】
（第３実施形態）
図１１は、第３実施形態におけるカメラユニットの組立状態を示す説明図である。本実施形態は、センサ部１０における筒状部１８の外周面とレンズバレル２０における延出部２９の内周面側のそれぞれにネジ部１２，２２を形成した形態である。筒状部１８に形成されているネジ部１２は一定のネジピッチで形成されている。これに対して、レンズバレル２０の延出部２９の内周面に形成されているネジ部２２は、本体部２６側の所要範囲にわたって筒状部１８に形成されているネジ部１２のネジピッチよりも短ピッチのネジピッチで形成されている。
この構成により、レンズバレル２０（延出部２９）のネジ部２２をセンサ部１０（筒状部１８）のネジ部１２に螺入させると、最初は通常の螺入状態となり、レンズバレル２０に与える回転トルクは通常のネジ締めに要する回転トルクと同程度である。さらにレンズバレル２０の螺入をすすめて、撮像用センサ１４とレンズユニット２５とのフォーカス位置が近づくと、レンズバレル２０を筒状部１８に螺入させる際の回転トルクがそれまでの回転トルクに比べて大幅に増大する。これにより、オペレータに注意喚起を与えることができる等、先の実施形態と同様の作用効果を得ることができる。撮像用センサ１４とレンズユニット２５の最終的なフォーカス状態を設定する調整方法は、先の実施形態で説明した方法と同様にして行うことができる。
【００３０】
（第４実施形態）
図１２は、第４実施形態におけるカメラユニットの組立状態を示す説明図である。本実施形態は、センサ部１０における筒状部１８がレンズバレル２０に入り込む側と本体部１６側とで異なる径寸法に形成されている。レンズバレル２０に入り込む側が小径部１８Ａに形成され、本体部１６側が大径部１８Ｂに形成されていて、小径部１８Ａから大径部１８Ａにかけては小径部１８Ａ側から大径部１８Ｂ側に向けて徐々に拡径するテーパー部１９が形成されている。
【００３１】
レンズバレル２０の延出部２９の内周面を、筒状部１８の小径部１８Ａの外周面をガイドにしながらレンズバレル２０を筒状部１８に被せていくと、延出部２９の下端部分が筒状部１８の中途部分に形成されたテーパー部１９に当接する。延出部２９の内周面には延出部２９の下端部からネジ部２２が形成されているので、レンズバレル２０をテーパー部１９に押し付けながら回転させると、ネジ部２２がテーパー部１９の外表面に沿いながら筒状部１８のさらに下方側（大径部１８Ｂ側）に進入していく。テーパー部１９は筒状部１８の高さ方向にわずかな距離しかなく、大径部１８Ｂの径寸法も、ネジ部２２が螺入可能な径寸法に形成されているので、ネジ部２２は大径部１８Ｂの外表面を変形させながら螺入する。レンズバレル２０のネジ部２２が筒状部１８の大径部１８Ｂに螺入すると、通常のネジを螺入させるときに要する回転トルクに比べ、大幅に大きい回転トルクを必要とするため、オペレータの注意喚起させることができる等、先の実施形態と同様の作用効果を得ることができる。本実施形態においても、撮像用センサ１４とレンズユニット２５の最終的なフォーカス状態を設定する調整方法は、先の実施形態で説明した方法と同様にして行うことができる。
【００３２】
以上に、本願発明について実施形態に基づいて詳細に説明してきたが、本願発明は以上に示した実施形態に限定されるものではなく、発明の要旨を変更しない範囲において各種改変を施したとしても、本願発明の技術的範囲に属することはもちろんである。例えば、第１実施形態においては、センサ部１０のネジ部１２はネジ部１２全体にわたって同一ピッチに形成されているが、レンズバレル２０のネジ部２２をネジ部２２全体にわたって同一ピッチに形成し、センサ部１０のネジ部１２の最下部分のネジピッチを他のネジ部１２と異なるネジピッチに形成することによっても、第１実施形態と同様の作用効果を得ることができる。この場合、センサ部１０のネジ部１２のネジピッチが変更された部分は、センサ部１０にレンズバレル２０を組み付けた状態において撮像用センサ１４とレンズユニット２５との焦点があった状態となる（すなわちフォーカス位置）を含む位置となるように形成されていることは当然である。
【００３３】
また、センサ部１０およびレンズバレル２０に互いに螺合するピッチのネジ部１２，２２を形成し、いずれか一方のネジ部１２，２２の一部を不連続なネジ部１２，２２に形成し、センサ部１０とレンズバレル２０の一方のねじ部１２または２２が他方のネジ部２２または１２の一部を変形させることができるようにした構成を採用することによっても、一方のネジ部１２，２２を他方のネジ部２２，１２に食い込ませることができ、第１実施形態と同様な効果を得ることができる。
【００３４】
さらに、第２実施形態においては、レンズバレル２に形成されたネジ部２２によりセンサ部１０の筒状部１８の内周面の一部を変形させながら嵌合させることにより、摺動抵抗を得て撮像用センサ１４とレンズユニット２５のフォーカス調整状態を維持する形態となっているが、センサ部１０の筒状部１８の内周面にネジ部１２を形成し、本体部２６が大径部と小径部を有する形状に形成されたレンズバレル２０をセンサ部１０のネジ部１２に嵌入させる形態であっても良い。この場合、レンズバレル２０よりもセンサ部１０を硬く形成し、センサ部１０のネジ部１２がレンズバレル２０の大径部を変形させながら嵌入させればよい。また、レンズバレル２０の嵌入側端部から径寸法が変更する位置までの距離は、撮像用センサ１４とレンズユニット２５のフォーカス距離よりも小さくなるように設定されているのはもちろんである。
【００３５】
さらにまた、センサ部１０またはレンズバレル２０のいずれか一方のみにネジ部を形成し、ネジ部を形成したセンサ部１０またはレンズバレル２０をレンズバレル２０またはセンサ部１０に食い込ませる場合は、撮像センサ１４に対するレンズユニット２５のフォーカス位置の直前においてネジ部が相手の部材に食い込むようにすればよい。食い込まれる側の部材の内径部分は第２実施形態で説明したような大径部分と小径部分を有する形状の他、テーパー形状等を採用することも可能である。
【００３６】
また、第３実施形態においては、筒状部１８の外周に形成されたネジ部１２において、本体部１６側のネジピッチがレンズバレル２０側のネジピッチよりも短ピッチに形成されていて、レンズバレル２０の延出部２９には一定のピッチでネジ部１２が形成されている形態について説明しているが、筒状部１８の外周に形成したネジ部１２のネジピッチを全範囲に一定ピッチに形成し、レンズバレル２０の延出部２９に形成したネジ部１２のネジピッチをレンズユニット２５側で短ピッチに形成する形態としても良い。この構成によっても第３実施形態と同様の作用効果を得ることができる。
【００３７】
そして、第４実施形態における筒状部１８は、レンズバレル２０に入り込む側が小径部１８Ａに形成され、本体部１６側が大径部１８Ｂに形成されていて、小径部１８Ａから大径部１８Ａにかけては小径部１８Ａ側から大径部１８Ｂ側に向けて徐々に拡径するテーパー部１９が形成されていて、レンズバレル２０の延出部２９にネジ部２２が形成されている形態について説明しているが、筒状部１８の外径寸法は筒状部１８全体にわたって同一径寸法に形成し、レンズバレル２０における延出部２９の内径寸法を、筒状部１８に進入させる側を大径部に、レンズユニット２５側を小径部に形成し、大径部と小径部との径寸法の差を徐々に減らすテーパー部を形成した形態としても良い。この構成によっても第４実施形態と同様の作用効果を得ることができる。
【００３８】
また、第２実施形態や第４実施形態のように、一方の部材のみにネジ部を形成し、形成したネジ部によりネジ部を有しない他方の部材を変形させながら嵌合させる場合には、嵌合部位外にもネジ部を形成した形態について説明しているが、このような場合には、相手側と嵌合して、相手側の部材を変形させる部分のみにネジ部を形成するだけであってもよい。
【図面の簡単な説明】
【００３９】
【図１】第１実施形態におけるカメラユニットのセンサ部の構成を示す説明図である。
【図２】第１実施形態におけるカメラユニットのレンズバレルの構成を示す説明図である。
【図３】第１実施形態におけるカメラユニットの組み立て状況を示す説明図である。
【図４】第１実施形態におけるレンズバレルがフォーカス調整をした状態でセンサ部に組み立てられた状態を示す説明図である。
【図５】図４内のＡ部分における拡大図である。
【図６】第２実施形態におけるセンサ部の構造を示す説明図である。
【図７】第２実施形態におけるレンズバレルの構造を示す説明図である。
【図８】第２実施形態におけるカメラユニットの組み立て状況を示す説明図である。
【図９】第２実施形態におけるレンズバレルがフォーカス調整をした状態でセンサ部に組み立てられた状態を示す説明図である。
【図１０】図９中のＢ部分における拡大図である。
【図１１】第３実施形態におけるカメラユニットの組立状態を示す説明図である。
【図１２】第４実施形態におけるカメラユニットの組立状態を示す説明図である。
【符号の説明】
【００４０】
１０  センサ部
１２  ネジ部
１４  撮像用センサ
１６  本体部
１８  筒状部
１８Ａ  小径部
１８Ｂ  大径部
１９  テーパー部
２０  レンズバレル
２２  ネジ部
２３  スペーサ
２４Ａ，２４Ｂ  レンズ
２５  レンズユニット
２６  本体部
２８  レンズ用開口部
２９  延出部
５０  カメラユニット
【図１】
2008309837.tif 000003
【図２】
2008309837.tif 000004
【図３】
2008309837.tif 000005
【図４】
2008309837.tif 000006
【図５】
2008309837.tif 000007
【図６】
2008309837.tif 000008
【図７】
2008309837.tif 000009
【図８】
2008309837.tif 000010
【図９】
2008309837.tif 000011
【図１０】
2008309837.tif 000012
【図１１】
2008309837.tif 000013
【図１２】
2008309837.tif 000014